(57)【要約】　　　（修正有）【課題】食べ物の調理時間を測定できるタイマー付き容器組立体を提供する。【解決手段】容器１０の外周面には所定の結合手段で結合されるタイマー３０がついている。タイマーとしては、いわゆる砂時計が適用される。この砂時計は、細い通路であるネック３３により互いに連通される第１及び第２貯蔵部３１、３２を有し、第１及び第２貯蔵部３１、３２のいずれか一側貯蔵部に収容されてネック３３を通じて他側貯蔵部に移動する流動体３４を具備する。【選択図】　図２
2004026301.tif 000002
【特許請求の範囲】
【請求項１】
食べ物の収容空間を有する容器と、
前記容器の外周面に所定の結合手段で結合されて時間がチェックできるタイマーとを具備したことを特徴とするタイマー付き容器組立体。
【請求項２】
前記結合手段は、前記容器の外周面に前記タイマーが収納される結合溝を形成し、前記結合溝に結合された前記タイマーが離脱しないように前記容器に着脱自在に付着されるテープを具備してなることを特徴とする請求項１に記載のタイマー付き容器組立体。
【請求項３】
前記タイマーは、細い通路であるネックにより互いに連通される第１及び第２貯蔵部を有し、前記第１及び第２貯蔵部のいずれか一側貯蔵部に収容されて前記ネックを通じて他側貯蔵部に移動する流動体を具備した砂時計であることを特徴とする請求項１または請求項２に記載のタイマー付き容器組立体。
【請求項４】
前記結合手段は、前記タイマーの中心部に貫通孔を形成し、前記形成された貫通孔に結合されて前記容器の外周壁に固定される回転ピンを具備してなることを特徴とする請求項１または請求項３に記載のタイマー付き容器組立体。
【請求項５】
前記第１及び第２貯蔵部は分離形成されて相互結合され、前記第１貯蔵部には流動体が充填され、前記第１貯蔵部と結合される第２貯蔵部の入口側には破裂可能な遮断膜が形成されて、
前記第１貯蔵部を第２貯蔵部に結合させると同時に前記遮断膜が破裂されながら第１貯蔵部の流動体が第２貯蔵部に一定時間移動することを特徴とする請求項３に記載のタイマー付き容器組立体。
【発明の詳細な説明】
【０００１】
【発明の属する技術分野】
本発明はタイマー付き容器組立体に係り、より詳細にはカップラーメンのようなインスタント食品の調理時に調理時間を確認可能にしたタイマー付き容器組立体に関する。
【０００２】
【従来の技術】
一般的に食べ物を調理する時、例えば、電子レンジを用いて料理をする場合には料理時間の設定ができるので所定時間になると自動的に電源が遮断されて料理が中断され、消費者の所望の時間に正確に合わせることができる。
【０００３】
しかし、カップラーメンのように電子機器を利用せずに外で調理する時には時間の測定が難しい。
【０００４】
例えば、カップラーメンは通常一定温度で１分または３分などの時間に合せて調理されるように製造されるが、消費者はおおよその時間を感知するか、あるいは時計などを利用して時間を測定して適正な調理時間を感知する。
【０００５】
しかし、時計なしに調理時間をおおよそ測定する場合には適正の調理時間を超える恐れがあって調理された食べ物の味が低下し、また正確な調理時間を測定するためには別の時間測定手段が要求されるので煩わしい。
【０００６】
【発明が解決しようとする課題】
本発明は前記問題点を解決するために創出されたものであって、食べ物の調理時間を測定できるタイマー付き容器組立体を提供するのにその目的がある。
【０００７】
【課題を解決するための手段】
前記目的を達成する本発明のタイマー付き容器組立体は、食べ物の収容空間を有する容器と、前記容器の外周面に所定の結合手段で結合されて時間がチェックできるタイマーとを具備したことを特徴とする。
【０００８】
前記タイマーは、細い通路であるネックにより互いに連通される第１及び第２貯蔵部を有し、前記第１及び第２貯蔵部のいずれか一側貯蔵部に収容されて前記ネックを通じて他側貯蔵部に移動する流動体を具備した砂時計である。
【０００９】
前記結合手段は、前記タイマーの中心部に貫通孔を形成し、前記形成された貫通孔に結合されて前記容器の外周壁に固定される回転ピンを具備してなる。
【００１０】
また、前記第１及び第２貯蔵部は分離形成されて相互結合され、前記第１貯蔵部には流動体が充填され、前記第１貯蔵部と結合される第２貯蔵部の入口側には破裂可能な遮断膜が形成されて、前記第１貯蔵部を第２貯蔵部に結合させると同時に前記遮断膜が破裂されながら第１貯蔵部の流動体が第２貯蔵部に一定時間移動する。
【００１１】
前記本発明の特徴によれば、本発明のタイマー付き容器組立体は、容器自体に採用された砂時計を観測することによって消費者が時計なしでも調理時間をチェックできる。
【００１２】
【発明の実施の形態】
以下、添付された図面を参照しながら本発明による望ましい実施例を詳細に説明する。
【００１３】
本発明の実施例は市販されている通常のカップラーメンに適用して説明する。本発明によるタイマー付きカップラーメン容器組立体を示した図１ないし図３を参照すれば、カップラーメンの容器１０はコーティングされた紙またはスチロールの合成樹脂よりなり、その容器１０中には内容物であるラーメン５０とスープとが入っており、容器１０の上部は紙ふた２０で密封されている。
【００１４】
カップラーメンを食べる時には容器１０に密封されたふた２０を半分開封した後、容器内にお湯を適正量供給してふた２０を覆って所定の時間（約３分程度）待機していれば、容器１０内のラーメン５０はお湯により食べられる状態になる。
【００１５】
一方、本発明の特徴的な構成として容器１０の外周面には所定の結合手段で結合されるタイマーが備わっている。
【００１６】
前記タイマーは、いわゆる砂時計３０である。この砂時計３０は細い通路であるネック３３により互いに連通される第１及び第２貯蔵部３１、３２を有し、前記第１及び第２貯蔵部３１、３２のいずれか一側貯蔵部に収容されて前記ネック３３を通じて他側貯蔵部に移動する流動体３４を具備する。この流動体３４は通常の砂時計に適用される砂である。
【００１７】
また、前記流動体３４は相異なる比重を有する流体中に混合された油滴でありうる。この場合、第１及び第２貯蔵部３１、３２では比重の小さな第１流体と、この第１流体より比重の大きい第２流体（油滴）とが混合されて、第２流体がネック３３を経て他の貯蔵部に移動する。
【００１８】
このように流動体３４が他の貯蔵部に移動する時間は、流動体３４の量を適当に採用して設定できる。例えば、カップラーメンの調理時間（１分または３分）に合わせて流動体３４の量を適当に設定して砂時計３０を製造する。
【００１９】
一方、前記結合手段は、容器１０の外周面に前記砂時計３０が収納される結合溝１１を形成し、この結合溝１１に結合された砂時計３０が離脱しないように前記容器１０に着脱自在に付着されるテープ４０を具備してなる構造で構成される。
【００２０】
これは、カップラーメンの保管状態によって砂時計３０の流動体３４が第１貯蔵部３１または第２貯蔵部３２に位置するために、カップラーメンの調理時に砂時計３０の正逆状態を容易に変えるようにする。
【００２１】
すなわち、カップラーメンの移動または逆様に保管されることによって流動体３４が第２貯蔵部３２に移動していれば、図２に示されたように、調理時にテープ４０の一側部分を取り外した後、砂時計３０の正逆を変えて調理時間をチェックできるようにする。
【００２２】
一方、前記砂時計３０は、図４及び図５に示されたように、容器１０の結合溝１１内に回転自在に結合されることもある。この時、結合溝１１は図示されたように円形で形成することが望ましく、結合溝１１内には砂時計３０が回転ピン３５により回転自在に結合されている。この時、砂時計３０のネック３３には貫通孔３３ａが形成されていて回転ピン３５を結合可能にする。また、容器１０の外周面には容器を厚くして突出部１１ａを形成して、前記回転ピン３５の結合時に容器１０の外周壁が貫通されてしまう恐れを最小化した。
【００２３】
他の実施例で図７に示されたように、固定板３７に砂時計３０を回転自在にピン３６で固定させて、固定板３７を容器１０の外周面に接着させることができる。
【００２４】
本発明のさらに他の実施例を示した図６Ａ及び図６Ｂを参照すれば、これは砂時計７０の第１貯蔵部７１及び第２貯蔵部７２が相互ネック７３を中心に折畳可能な構造よりなっている。したがって、この砂時計７０はビニールなどで構成されて平たく形成できる。カップラーメンの出庫時、砂時計７０は図６Ａに示されたように容器１０の外周面に接着剤等で付着されたまま、そして第２貯蔵部７２は折畳状態に出庫される。この時、テープまたは接着剤などにより折畳状態が維持される。この場合、流動体７４は第１貯蔵部７１から第２貯蔵部７２に移動しなくなる。消費者が調理する時には折畳された第２貯蔵部７２を図６Ｂに示されたように広げて使用する。
【００２５】
前記のような本発明は、カップラーメンの調理時に容器１０内にスープ及び薬味などを入れて適当量のお湯を注いでからふた２０を覆った後、砂時計３０、７０を観測して調理時間をチェックする。
【００２６】
この時、カップラーメンが逆様に保管された場合、または移動中に流動体３４が第１、２貯蔵部３１、３２に分散された場合、図２に示された実施例の場合にはテープ４０の一側を取り外して砂時計３０の方向を変えて時間をチェックし、図４に示された実施例の場合には砂時計３０を回転させて方向を変える。
【００２７】
一方、前記砂時計は次のように構成できる。図８Ａ及び図８Ｂを参照すれば、第１及び第２貯蔵部６１、６２は分離形成されて相互結合され、前記第１貯蔵部６１には流動体６３が充填され、前記第１貯蔵部６１と結合される第２貯蔵部６２の入口側には破裂可能な遮断膜６２ａが形成されて、図８Ｂに示されたように、前記第１貯蔵部６１を第２貯蔵部６２に結合させると同時に前記遮断膜６２ａが破裂されながら第１貯蔵部６１の流動体６３が第２貯蔵部６２に一定時間移動するように構成できる。
【００２８】
このような実施例の本発明のタイマー付き容器組立体は、前記実施例に限定されず、本願の思想及び範囲を外れずに多くの変形を加えて実施できる。
【００２９】
【発明の効果】
本発明のタイマー付き容器組立体は、容器自体に採用された砂時計を観測することによって消費者が時計なしでも調理時間をチェックできるので、消費者の製品の利用を便利にする。
【図面の簡単な説明】
【図１】本発明の容器組立体を示した斜視図である。
【図２】図１の分離斜視図である。
【図３】図１の要部断面図である。
【図４】本発明の容器の他の実施例を示した分離斜視図である。
【図５】図４の要部結合断面図である。
【図６】図６Ａ及び図６Ｂは、本発明のさらに他の実施例を示した概略図である。
【図７】本発明の他の実施例を示した概略図である。
【図８】図８Ａ及び図８Ｂは、他の実施例のタイマーを示した概略図である。
【符号の説明】
１０　容器
１１　結合溝
２０　ふた
３０　砂時計
３１　第１貯蔵部
３２　第２貯蔵部
３３　ネック
３４　流動体
４０　テープ
【図１】
2004026301.tif 000003
【図２】
2004026301.tif 000004
【図３】
2004026301.tif 000005
【図４】
2004026301.tif 000006
【図５】
2004026301.tif 000007
【図６】
2004026301.tif 000008
【図７】
2004026301.tif 000009
【図８】
2004026301.tif 000010